(57)【特許請求の範囲】
【請求項１】
柄部材と挟持部材を含み、該挟持部材は対向する一対の挟持片を有し、該一対の挟持片は弾性力により開閉可能であり、各挟持片の端部に挟持部が設けられ、柄部材の縁部から挟持部材の挟持片が突出した状態で、その挟持部材が柄部材に対し進退可能となるように挟持部材は柄部材に取り付けられており、挟持部材を柄部材に対して所定の位置まで後退させたときに両挟持片を閉じた状態に維持する手段を有し、その維持する手段を解除して挟持部材を柄部材に対して所定の位置まで前進させるときに両挟持片が自動的に開き、挟持部材が前進して挟持片が開いている場合において、その側面視で、上側の挟持片は上側に凸となるように弧状に曲げられた部分を有し、その曲げられた部分の頂部から挟持部にかけて前下がりに傾斜しており、挟持片を閉じるために挟持部材をその移動が規制される所定の位置まで後退させたときに、前記頂部は柄部材の縁部よりも前に位置し、下側の挟持片は弧状に曲げられた部分を有していないことを特徴とする付けまつ毛装着具。
【請求項２】
両挟持片を閉じた状態に維持する手段は、両挟持片が閉じられた状態にあるときに柄部材に対する挟持部材の移動を規制するための規制手段であって、該規制手段は柄部材と挟持部材との間に設けられており、且つ挟持部材を移動させるときに前記規制が解除される請求項１記載の付けまつ毛装着具。
【請求項３】
挟持部材を柄部材に対し進退可能とするために柄部材は挟持片の案内空間を有し、該案内空間を構成する案内面と該案内面に対向する挟持片との間に、柄部材に対する挟持部材の移動を規制するための規制手段が設けられている請求項２記載の付けまつ毛装着具。
【請求項４】
案内面に対向する挟持片の表面に、挟持部材の進退方向に対し垂直に延びる少なくとも１つの係止溝が設けられ、案内面には前記係止溝と平行に延びる嵌合溝が設けられ、該嵌合溝にピンが嵌合されており、該ピンが前記係止溝に係止することにより柄部材に対する挟持部材の移動が規制される請求項３記載の付けまつ毛装着具。
【請求項５】
挟持部材が柄部材に対し抜け出し不能に取り付けられている請求項１乃至請求項４のいずれか一項記載の付けまつ毛装着具。
【請求項６】
双方の挟持片の同じ位置にそれぞれ長孔が設けられ、前記長孔を貫く棒状の移動停止部材が柄部材に固定されることにより、挟持部材が柄部材に対し抜け出し不能に取り付けられている請求項５記載の付けまつ毛装着具。
【発明の詳細な説明】
【技術分野】
【０００１】
本発明は、付けまつ毛をまぶたに装着するときに使用する付けまつ毛装着具に関する。
【背景技術】
【０００２】
従来の付けまつ毛装着具は、対向する一対の挟持片の基部同士を結合してクリップ状に形成されている。従来の付けまつ毛装着具を使って付けまつ毛をまぶたに装着する方法について説明すると、まず、それぞれの挟持片に人差し指と親指を宛がって挟持片の端部で付けまつ毛を挟み、次いで、挟持片を閉じた状態にロックする。そのロックが完了した後、付けまつ毛の基部に接着剤を塗布する。挟持片が閉じた状態にロックされているので、接着剤を塗布するときは装着具をどのように持っても差し支えない。次に、それぞれの挟持片に人差し指と親指を宛がうことにより、装着具を人差し指と親指で挟み持って付けまつ毛の基部をまぶたに宛がう。その際、装着具の挟持片をすぐに開かずに、装着具を付けまつ毛からすぐに離さないようにして、少しそのままの状態におく。すぐに離すと、接着剤が固まっていないので付けまつ毛がまぶたから離れてしまうからである。その後、ロックを外して挟持片を開き装着具を付けまつ毛から離す。
【０００３】
このように、付けまつ毛をまぶたに装着するときは、接着剤を塗布した付けまつ毛をまぶたに宛がった状態を少しの間維持する必要がある。付けまつ毛を動かしてしまうとまぶたの所定の位置に付けまつ毛を装着することができないからである。
【０００４】
従来の付けまつ毛装着具はクリップ状であって、付けまつ毛をまぶたに装着するときに、装着具の挟持片を親指と人差し指で挟み持って付けまつ毛の基部をまぶたに宛がう。すなわち、装着具を持った際の装着具の保持は親指と人差し指の２点保持である。２点保持は装着具の使用に際し非常に不安定な保持であって、挟み持っている指のわずかな動きで装着具が揺動してしまうので、使用者は非常に気を遣いながら付けまつ毛の装着作業をしなくてはならない。
【先行技術文献】
【特許文献】
【０００５】
【特許文献１】特公昭４８−６５８６号公報
【特許文献２】特公昭４８−７９４８号公報
【発明の概要】
【発明が解決しようとする課題】
【０００６】
解決しようとする課題は、付けまつ毛装着具で挟んだ付けまつ毛をまぶたに宛がって装着する際に、付けまつ毛装着具を挟み持っている指のわずかな動きで付けまつ毛装着具が揺動してしまうので、使用者が非常に気を遣いながら付けまつ毛の装着作業をしなければならない点である。
【課題を解決するための手段】
【０００７】
本発明の請求項１の付けまつ毛装着具は、柄部材と挟持部材を含み、挟持部材を柄部材に対して所定の位置まで後退させたときに両挟持片を閉じた状態に維持する手段を有し、その維持する手段を解除して挟持部材を柄部材に対して所定の位置まで前進させるときに両挟持片が自動的に開き、挟持部材が前進して挟持片が開いている場合において、その側面視で、上側の挟持片は上側に凸となるように弧状に曲げられた部分を有し、その曲げられた部分の頂部から挟持部にかけて前下がりに傾斜しており、挟持片を閉じるために挟持部材をその移動が規制される所定の位置まで後退させたときに、前記頂部は柄部材の縁部よりも前に位置し、下側の挟持片は弧状に曲げられた部分を有していない構成である。
【０００８】
請求項２は、両挟持片を閉じた状態に維持する手段が、両挟持片が閉じられた状態にあるときに柄部材に対する挟持部材の移動を規制するための規制手段であって、該規制手段は柄部材と挟持部材との間に設けられており、且つ挟持部材を移動させるときに前記規制が解除される構成である。
【０００９】
請求項３は、挟持部材を柄部材に対し進退可能とするために柄部材は挟持片の案内空間を有し、該案内空間を構成する案内面と該案内面に対向する挟持片との間に、柄部材に対する挟持部材の移動を規制するための規制手段が設けられている要素が請求項２に付加された構成である。
【００１０】
請求項４は、案内面に対向する挟持片の表面に、挟持部材の進退方向に対し垂直に延びる少なくとも１つの係止溝が設けられ、案内面には前記係止溝と平行に延びる嵌合溝が設けられ、該嵌合溝にピンが嵌合されており、該ピンが前記係止溝に係止することにより柄部材に対する挟持部材の移動が規制される要素が請求項３に付加された構成である。
【００１１】
請求項５は、挟持部材が柄部材に対し抜け出し不能に取り付けられている要素が請求項１乃至請求項５のいずれか一項に付加された構成である。
【００１２】
請求項６は、双方の挟持片の同じ位置にそれぞれ長孔が設けられ、前記長孔を貫く棒状の移動停止部材が柄部材に固定されることにより、挟持部材が柄部材に対し抜け出し不能に取り付けられている要素が請求項６に付加された構成である。
【発明の効果】
【００１３】
請求項１の付けまつ毛装着具は、柄部材と挟持部材を含み、挟持部材を柄部材に対して所定の位置まで後退させたときに両挟持片を閉じた状態に維持する手段を有し、その維持する手段を解除して挟持部材を柄部材に対して所定の位置まで前進させるときに両挟持片が自動的に開き、挟持部材が前進して挟持片が開いている場合において、その側面視で、上側の挟持片は上側に凸となるように弧状に曲げられた部分を有し、その曲げられた部分の頂部から挟持部にかけて前下がりに傾斜しており、挟持片を閉じるために挟持部材をその移動が規制される所定の位置まで後退させたときに、前記頂部は柄部材の縁部よりも前に位置し、下側の挟持片は弧状に曲げられた部分を有していない。すなわち、本発明は従来のクリップ状に形成された付けまつ毛装着具とは異なり、柄部材に対して進退可能な別体の挟持部材を有している。従来は、付けまつ毛をまぶたに装着するときに、装着具を人差し指と親指による２点保持で挟み持って付けまつ毛の基部をまぶたに宛がっていたので非常に不安定であった。本発明は、柄部材を有しているので、例えば、人差し指と親指で装着具を挟み持つと共に、人差し指と親指以外の指で柄部材を包み持つことができる。したがって、装着具を３点保持の安定した状態で持つことができるから、付けまつ毛をまぶたに接着するときに付けまつ毛をまぶたに宛がった状態を容易に維持することができる。
【００１４】
さらに、請求項１は、一方の挟持片は上側に凸となるように弧状に曲げられた部分を有し、その曲げられた部分の頂部から挟持部にかけて前下がりに傾斜しているので、その頂部の前に指先を宛がえば、指先が頂部にひっかかって指先と挟持片の摩擦力を大きくすることができるから挟持部材を後退させやすくすることができる。また、挟持部材を移動が規制される所定の位置まで後退させたときに、頂部は柄部材の縁部よりも前に位置するから、この所定の位置まで指先に対する頂部のひっかかり作用が継続し挟持部材を一杯に後退させることができる。
【００１５】
請求項２は、両挟持片を閉じた状態に維持する手段が、両挟持片が閉じられた状態にあるときに柄部材に対する挟持部材の移動を規制するための規制手段であって、該規制手段は柄部材と挟持部材との間に設けられており、且つ挟持部材を移動させるときに前記規制が解除される。本発明の一般的な使用方法は、まず、挟持部材を柄部材に対して前進させて挟持片を開く。次いで、挟持片の挟持部で付けまつ毛の人工毛を挟持してから挟持部材を所定の位置まで後退させる。この作業により、挟持片が閉じた状態に維持される。次に、付けまつ毛装着具を持ち替えてから付けまつ毛の基部に接着剤を塗布する。再度付けまつ毛装着具を持ち替え、指で挟持片を閉じた状態を維持したままで挟持部材を所定の位置まで前進させる。このとき、挟持部を閉じた状態に維持していた規制は解除されるが、挟持片は閉じたままである。次に、挟持している付けまつ毛をまぶたに宛がう。少しの間そのままにしてから、挟持片を閉じていた指先を挟持片から離すと挟持片が自動的に開き装着具を付けまつ毛から離すことができる。挟持片を閉じていた指先は挟持片から離さなくても、挟持している圧力を弱めるだけでも挟持片は自動的に開く。このように、本発明は、付けまつ毛をまぶたに装着するときに、まぶたに接着した付けまつ毛から装着具を離すと、挟持片は自動的に開く構成である。すなわち、挟持片を閉じた状態に維持していた規制は挟持片が開く前にすでに解除されている。したがって、挟持片を開くときに規制を解除するときの衝撃がなく、付けまつ毛に衝撃を与えることがないから、付けまつ毛を正確にまぶたに装着できる。従来の付けまつ毛装着具は、閉じた状態にロックされている挟持片を開く際に同時にそのロックを外す構成であるから、接着剤が半乾きのときにロックを外す衝撃が付けまつ毛に伝わって付けまつ毛を正確に装着できない虞がある。
【００１６】
また、本発明では、付けまつ毛の基部に接着剤を塗布した後に、再度付けまつ毛装着具を持ち替えてから、指先で挟持片を閉じた状態を維持したまま挟持部材を柄部材に対して所定の位置まで前進させることができる。このとき、挟持片を閉じている指以外の指で柄部材を把持しながら挟持片を閉じている指で挟持部材を前進させることが可能であるから、その作業を片手で行うことができる。
【００１７】
請求項３は、挟持部材を柄部材に対し進退可能とするために柄部材が挟持片の案内空間を有し、該案内空間を構成する案内面と該案内面に対向する挟持片との間に、柄部材に対する挟持部材の移動を規制するための規制手段が設けられている。すなわち、挟持部材の移動を規制する場所は柄部材の中にある。そして、挟持片を閉じたり開いたり、あるいは移動させたりする操作は挟持片に指先を宛がうことにより行われるから、この操作する場所と、挟持片を閉じた状態に維持し解除する場所とが離れている。従来は、操作する場所と、挟持片を閉じた状態に維持し解除する場所とが同じ場所であったために、使用者の意思に反して挟持片が閉じた状態にロックされたりそのロックが解除されたりする虞があった。本発明では、操作する場所と、挟持片を閉じた状態に維持し解除する場所とが離れているので、従来のような誤操作をする虞がない。
【００１８】
請求項４は、案内面に対向する挟持片の表面に、挟持部材の進退方向に対し垂直に延びる少なくとも１つの係止溝が設けられ、案内面には前記係止溝と平行に延びる嵌合溝が設けられ、該嵌合溝にピンが嵌合されており、該ピンが前記係止溝に係止することにより柄部材に対する挟持部材の移動を規制することができる。また、挟持部材を移動させるときに挟持部材とピンとの摩擦力によりピンが回転するから、挟持部材を円滑に移動させることができる。
【００１９】
請求項５は、挟持部材が柄部材に対し抜け出し不能に取り付けられている。また、請求項７は、双方の挟持片の同じ位置にそれぞれ長孔が設けられ、前記長孔を貫く棒状の移動停止部材が柄部材に固定されることにより、挟持部材が柄部材に対し抜け出し不能に取り付けられている。したがって、挟持部材を移動させるときに、挟持部材が柄部材から抜け出す虞がない。
【図面の簡単な説明】
【００２０】
【図１】挟持部材を柄部材に対して前進させて挟持片を開いた状態の上面図である。
【図２】挟持部材を柄部材に対して前進させて挟持片を開いた状態の側面図である。
【図３】挟持片を開いた状態の挟持部材の側面図である。
【図４】挟持片を開いた状態の挟持部材の下面図である。
【図５】柄部材を構成する上側部材の斜視図である。
【図６】柄部材を構成する下側部材の斜視図である。
【図７】本発明の組立構造を示す断面図である。
【図８】接着剤を塗布し挟持部材を前進させた状態を下側から見た斜視図である。
【図９】挟持部材を柄部材に対して後退させて挟持片を閉じた状態の上面図である。
【図１０】挟持部材を柄部材に対して後退させて挟持片を閉じた状態の側面図である。
【発明を実施するための形態】
【００２１】
次に、本発明の実施形態を説明する。付けまつ毛装着具１は、柄部材２に挟持部材３が進退可能に取り付けられている。挟持部材３は、一対の挟持片４，５が対向するようにそれらの基部６，７で結合されている。図１に示すように、上側の挟持片４はＹ字形に形成されて前部分が二股に分かれ一対のアーム１１，１１が形成されている。Ｙ字形とせずＵ字形でもＴ字形でもよくＩ字形でもよい。さらに、アーム１１，１１の先端に挟持部８，８が形成されている。挟持部８，８はアーム１１，１１よりも幅が広く、アーム１１，１１の延びる方向に対して傾斜するように形成されている。これは、付けまつ毛を挟む面積を大きくするためと、付けまつ毛が弧状をなしていることに対応するためである。
【００２２】
また、図３に示すように、上側の挟持片４は、上側に凸となるように弧状に曲げられた部分を有している。その弧状に曲げられた部分は頂部１０を有し、挟持片４はその頂部１０から挟持部８にかけて前下がりに傾斜している。挟持片４にはその頂部１０よりも後方の部分に長孔１２が設けられている。
【００２３】
図３に示すように、下側の挟持片５は弧状に曲げられた部分を有していない。図４は、挟持部材３を下側から見た図である。下側の挟持片５も上側の挟持片４と同様のアーム１３，１３と、それらの先端に挟持部９，９が形成されており、長孔１４も設けられている。下側の挟持片５の長孔１４と基部７との間の下面に、長さ方向に垂直に延びる２つの係止溝１５，１６が間隔をあけて設けられている。
【００２４】
さらに図７に示すように、挟持部材３の移動停止部材として機能するボルト１７が上下の挟持片４，５の長孔１２，１４を貫通し、ボルト１７の抜け出しを防止するナット１８がボルト１７に螺合されている。長孔１２，１４を貫通するボルト１７により、挟持部材３が柄部材２から抜け出すことを防止する。長孔１２，１４が挟持部材３の最大移動範囲を決定するが、実際上の移動範囲は両係止溝１５，１６間の距離である。ボルト１７の頭部２６と上側の挟持片４との間にワッシャ１９が装着され、ナット１８と下側の挟持片５との間にワッシャ２０が装着されている。なお、挟持部材３は金属で形成されているがこれに限定されるものでなく、使用に耐え得る強度を有しているのであればプラスチックなどのその他の材料であっても差し支えない。
【００２５】
図５及び図６に示すように、柄部材２は上側部材２１と下側部材２２とから成り、上側部材２１と下側部材２２とを溶着することにより形成されている。溶着以外の接合、例えば接着剤を用いた接合などでもよい。柄部材２はプラスチックで成形することが好ましいがこれに限定されるものではない。上側部材２１は、その両側及び後側に壁２３が形成されている。また、上側部材２１の両側下面の前後にそれぞれ一対の嵌合条溝４９，４９，５０，５０が形成され、前後の嵌合条溝４９，５０の間にそれぞれ嵌合丸穴５１，５１が形成されている。天井面２４の前部には六角形状の凹所２５が形成されている。この凹所２５は、付けまつ毛装着具１の組立時にボルト１７の頭部２６を嵌入させるためのものである。柄部材２の下側部材２２も上側部材２１と同様にその両側及び後側に壁２７が形成されている。また、下側部材２２の両側上面の前後にそれぞれ一対の嵌合突条５２，５２，５３，５３が形成され、前後の嵌合突条５２,５３の間にそれぞれ嵌合突起５４，５４が形成されている。底面２８の前部には六角形状の凹所２９が形成されている。この凹所２９は、付けまつ毛装着具１の組立時にナット１８を嵌入させるためのものである。凹所２９よりも後方の底面２８に、長さ方向に対し垂直に延びる嵌合溝３０が形成されている。この嵌合溝３０はピン３１を嵌合させるためのものである。上側部材２１と下側部材２２とを溶着するときは、事前に、上側部材２１の嵌合条溝４９，４９，５０，５０と嵌合丸穴５１，５１に下側部材２２の嵌合突条５２，５２，５３，５３と嵌合突起５４，５４を嵌合し両者を結合することにより、上側部材２１と下側部材２２の組み付けが容易に行える。前述したように、柄部材２の上側部材２１の両側と後側に壁２３が形成され、下側部材２２の両側と後側に壁２７が形成されているので、付けまつ毛装着具１を組み立てるときに上下部材２２，２３を溶着すると、壁２３，２７に囲まれた空間が形成される。この空間が挟持片４，５の案内空間３２となる。案内空間３
２は、挟持片４，５の後部分を前後方向に移動できるように案内することができる形状に形成されている。
【００２６】
次に、本実施態様の付けまつ毛装着具を柄部材２の上側部材２１と下側部材２２が分離している状態から組み立てる方法の一例について説明する。まず、図３及び図４に示すようにボルト１７を挟持片４，５の長孔１２，１４に上から通す。次に、下側に突き出たボルト１７の軸にナット１８を螺合する。次いで、柄部材２の下側部材２２の嵌合溝３０にピン３１を嵌合する。次に、挟持片４，５の後部分を下側部材２２の案内空間３２に納める。そのとき、ナット１８を凹所２９に嵌入する。次いで、柄部材２の上側部材２１を下側部材２２の上に載せて挟持片４，５の後部分を上側の案内空間３２と下側の案内空間３２内に納める。そのときに、ボルト１７の頭部２６を凹所２５に嵌入する。次に、上側部材２１の壁２３と下側部材２２の壁２７を溶着して結合する。溶着により柄部材２が形成される。長孔１２，１４に挿通されているボルト１７の頭部２６が凹所２５に嵌入し、ナット１８が凹所２９に嵌入しているので、ボルト１７は柄部材２に対して固定されている。したがって、挟持部材３を進退させたときに、挟持片４，５の長孔１２，１４の端部にボルト１７が当たって挟持部材３の進退の範囲が限定される。すなわち、挟持部材３の移動停止部材であるボルト１７によって挟持部材３の進退の範囲が限定される。上側部材２１及び下側部材２２のそれぞれの前側には壁２３と壁２７は形成されていないから、上側部材２１と下側部材２２を溶着したときに、柄部材２の前面に開口３３が形成される。挟持片４，５がこの開口３３から外部に突き出て挟持部材３が進退可能に移動する。挟持部材３を後退させたときに、開いていた挟持片４，５が開口３３の上下の縁部に当たって挟持片４，５が閉じる。挟持片４，５が閉じたときに挟持部８，９が付けまつ毛４４の人工毛４６を挟持する圧接力は開口３３の上下幅によって決定される。この圧接力は挟持した付けまつ毛４４が動かない程度の大きさがあればよい。なお、挟持片４，５が開口３３の上下の縁部に当たって挟持片４，５が閉じる構成や、付けまつ毛４４の人工毛４６を挟持する圧接力を開口３３の上下幅によって決定する構成に代えて、ボルト１７及びナット１８が開口３３の作用を代行してもよい。
【００２７】
組み立てられた付けまつ毛装着具１の柄部材２の側面の形状は、図２に示すように柄部材２の前端部付近から後端にかけてその側面の上下幅が徐々に小さくなるように変化している。そして、上側部材２１と下側部材２２の接合線３４を基準として見れば明らかなように、柄部材２の後半部では上側部材２１の上下幅よりも下側部材２２の上下幅の方が小さくなっている。また、上側部材２１の上面３６は全長に亘って緩やかな凸の弧状であるが、下側部材２２の底面３５はその中間に凹の弧状に形成された部分があり、その部分から後端までの底面３５はその部分の柄部材が削ぎ落とされたように接合線３４寄りに後退しており、後退面３７を形成している。このように形成したのは、後述するように、柄部材２を持って挟持片４，５を進退させるときに操作しやすくするためのものである。
【００２８】
次に本発明の使用方法の一例について説明する。まず、付けまつ毛装着具１の右手での持ち方について説明すると、図８に示すように、人差し指３８が挟持片４の長さ方向に対しほぼ垂直になるようにして、人差し指３８を上側の挟持片４の頂部１０よりもやや前側の人差し指宛がい面４７に宛がう。また、親指３９が下側の挟持片５に対しほぼ同方向となるようにして、親指３９を下側の挟持片５の底面に宛がう。小指４０は、柄部材２を包み込むようにして、その指先を柄部材２の後退面３７に宛がって柄部材２を保持する。下側部材２２の下面３５の後半部を後退面３７としたことでその部分の柄部材２の上下幅が小さく形成されているので、小指４０を折り曲げることによってその指先を後退面３７に無理なく宛がうことができる。したがって、小指だけでも柄部材２の後部分を包み込んでしっかり柄部材２を保持することができる。薬指４１は柄部材２を軽く包み持つように柄部材２に宛がう。中指４２は柄部材２の前端部側面４３に宛がう。図１に示すように、柄部材２の前端部側面４３は弧状に滑らかに形成されているので、中指４２を宛がっても痛みを生じさせない。また、中指４２は柄部材２を持つときに大きな保持力を発揮する指でないので、中指４２は柄部材２の前端部側面４３に添えるようして宛がえばよい。柄部材２の前端部付近の上下幅は柄部材２の中で最も大きいので、中指４２を側面に宛がいやすのである。付けまつ毛装着具１はこのようにして手で持つと作業しやすい構成となっている。
【００２９】
使用者を右利きの女性として付けまつ毛４４を装着するときは、まず、付けまつ毛装着具１の挟持部材３を前進させ挟持片４，５を開いた状態にしてから、前述したように付けまつ毛装着具１を右手に持つ。なお、挟持部材３を前進させたときにピン３１に係止溝１６が係止して挟持部材３の移動が規制される。次に、人差し指３８と親指３９とで挟持片４，５を閉じることにより、付けまつ毛保管容器（図示せず。）内の付けまつ毛４４の人工毛４６をその基部４５が外側になるようにして挟持部８，９で挟み、付けまつ毛４４を挟持する。なお、付けまつ毛保管容器内の付けまつ毛４４を挟持するときの付けまつ毛装着具１の右手での持ち方については、前述した方法に代えて、親指を上側の挟持片４の頂部１０付近に宛がい、人差し指を下側の挟持片５の底面に宛がい、他の指で柄部材２を保持してもよい。
【００３０】
次いで、人差し指３８と親指３９とで挟持片４，５を閉じたまま、その挟持片４，５を閉じた状態に維持できる位置まで挟持部材３をその弾性力に抗して強制的に後退させる。すなわち、ピン３１に係止溝１５が係止するまで後退させる。本実施態様では、挟持部材３を一杯に後退させたときにピン３１が係止溝１５に係止するが、一杯に後退させない状態で係止する構成であってもよい。挟持部材３を後退させるときに挟持部材３の移動に伴いピン３１が回転するので後退は円滑に行うことができる。ただし、弾性力により開いている挟持片４，５をその弾性力に抗して閉じるのであるから、挟持部材３を移動させるために一定の力が必要であり、挟持片４とそれに宛がった人差し指３８との間の摩擦力がその一定の力よりも小さいと人差し指３８が滑る。そこで、前述したように人差し指３８を上側の挟持片４の頂部１０よりもやや前側の人差し指宛がい面４７に宛がうことによって、頂部１０が滑り止めの役目を果たし人差し指が滑る虞がない。また、挟持部材３を後退させることによって人差し指３８も後退するから、柄部材２の前端部側面４３に宛がわれている中指４２が窮屈になって操作しにくくなるので、中指４２を柄部材２から離すことによって円滑に後退させることができる。中指４２を柄部材２から離しても柄部材２を確実に包み持っていることに変わりはない。これは、前述したように、小指４０の指先を柄部材２の後退面３７に宛がって柄部材２を包み持ったときに、その部分の柄部材２の上下幅が小さく形成されているから、小指を折り曲げることによってその指先を後退面３７に無理なく宛がうことができて、小指だけでも柄部材２の後部分をしっかり包み持てるからである。すなわち、本発明の付けまつ毛装着具１は人差し指３８と親指３９と小指４０との３点でしっかり持つことができる。また、図１０に示すように、挟持部材３を一杯に後退させたときに、頂部１０は柄部材２の前端部よりも前に位置するから、この位置まで指先に対する頂部１０のひっかかり作用が継続し挟持部材３を一杯に後退させることができる。
【００３１】
挟持片４，５で付けまつ毛４４を挟持した状態で挟持部材３を後退させることにより、挟持片４，５は閉じた状態が維持される。そこで、付けまつ毛装着具１を左手に持ち替え、滑らないように指先をリブ４８に載せて、右手で接着剤の塗布具を持って接着剤を付けまつ毛４４の基部４５に塗布する。そして、接着剤の塗布具は手から離し、付けまつ毛装着具１を再度右手に持つ。次に、人差し指３８と親指３９とで係止状態にある挟持部材３を柄部材２に対して強制的に前進させる。
【００３２】
このようにして挟持部材３を前進させた後に、挟持片４，５を閉じた状態を維持しつつ付けまつ毛４４の基部４５をまぶたに宛がい、少しの間そのままにしてから人差し指３８と親指３９の力を抜いて挟持片４，５を弾性力によって自然に開かせる。そして、付けまつ毛装着具１をまぶたから離して装着作業が終了する。なお、付けまつ毛４４の基部４５に接着剤を塗布するときに、付けまつ毛装着具１を手に持たずに、柄部材２の上側部材２１を下側にして化粧台の上に置き、柄部材２を手で押さえながら塗布すると付けまつ毛装着具１が安定するので、円滑に塗布できる。その際、下側部材２２の表面に設けられているリブ４８に指先を宛がって押さえると、付けまつ毛装着具１をいっそう安定させることができる。また、付けまつ毛装着具１を化粧台の上に置いたまま、接着剤が少し乾くまで待つこともできる。
【００３３】
次に、本実施態様のサイズについて説明する。挟持部材３を前進させたときの付けまつ毛装着具１の全長は約１１０ｍｍである。挟持部材３を後退させたときの付けまつ毛装着具１の全長は約９５ｍｍである。したがって、柄部材２に対する挟着部材３の移動範囲は約１５ｍｍである。柄部材２の最大上下幅は前端部付近の約１３ｍｍであり、最小上下幅は後端部付近の約６ｍｍである。柄部材２の最大横幅は約１４ｍｍであり、最小横幅は約１０ｍｍである。また、挟持部材３の先端の横幅は約２８ｍｍである。サイズは以上の通りであるが、本発明がこれらの数値に限定されないことは勿論である。
【００３４】
なお、本発明は前述した構成に基づいて種々の態様をとることが可能である。例えば、付けまつ毛装着具１を持ち替えるときのために、滑り止め用のリブ４８を柄部材２の上側部材２１と下側部材２２の表面に設けてもよい。また、挟持部材３を金属で形成したときに、挟持片４，５の人差し指又は親指の指先が当たる部分をショットブラストなどによる滑り止め面としてもよい。また、挟持部８，９の内面にプラスチック板や軟質樹脂の緩衝材を貼り付けることによって、挟持した付けまつ毛の人工毛４６に対する当たりを弱くして毛を保護するようにしてもよい。この場合、緩衝材などを貼り付けることによって、挟持部８，９が付けまつ毛４４の人工毛４６を挟持する適切な圧接力は開口３３の上下幅の加減により得ることができる。なお、圧接力を開口３３の上下幅の加減によることなく、ボルト１７及びナット１８で開口３３の作用を代行することにより圧接力を適切にすることもできる。また、上側の挟持片４はＹ字形に形成されて前部分が二股に分かれ一対のアーム１１，１１が形成されているが、その二股に分かれた部分５５から前方に指宛て専用の突片（図示せず。）を一体に突出させてもよい。すなわち、両アーム１１，１１の間に突片を設ける。そして、その突片は下側に凸の弧状をなすように曲げるとさらに好ましい。この突片に指を宛がうと操作が安定する。
【産業上の利用可能性】
【００３５】
柄部材２の縁部から挟持部材３の挟持片４，５が突出した状態でその挟持部材３が柄部材２に対し進退可能に挟持部材３が柄部材２に取り付けられることにより、付けまつ毛をまぶたに装着するときに付けまつ毛装着具１を人差し指と親指と、それ以外の指の３点で保持するので、安定した状態で付けまつ毛をまぶたに装着することができる。
【符号の説明】
【００３６】
１  付けまつ毛装着具、      ２  柄部材、      ３  挟持部材、      ４  上側の挟持片、      ５  下側の挟持片、      ６  基部、      ７  基部、      ８  挟持部          ９  挟持部、      １０  頂部、      １１  アーム、      １２  長孔、      １３  アーム、      １４  長孔、      １５  係止溝、      １６  係止溝、      １７  ボルト、      １８  ナット、      １９  ワッシャ、    ２０  ワッシャ、      ２１  上側部材、      ２２  下側部材、      ２３  壁、    ２４  天井面、      ２５  凹所、      ２６  ボルトの頭部、      ２７  壁、    ２８  底面、      ２９  凹所、      ３０  嵌合溝、      ３１  ピン、      ３２  案内空間、      ３３  開口、      ３４  接合線、      ３５  下面、      ３６  上面、      ３７  後退面、      ３８  人差し指、      ３９  親指、    ４０  小指、      ４１  薬指、      ４２  中指、      ４３  前端部側面、    ４４  付けまつ毛、      ４５  基部、      ４６  人工毛、      ４７  人差し指宛がい面、      ４８  リブ、      ４９  嵌合条溝、        ５０  嵌合条溝、      ５１  丸穴、        ５２  嵌合突条、        ５３  嵌合突条、        ５４  嵌合突起      ５５  アームが二股に分かれた部分
【図１】
0005717277.tif 000002
【図２】
0005717277.tif 000003
【図３】
0005717277.tif 000004
【図４】
0005717277.tif 000005
【図５】
0005717277.tif 000006
【図６】
0005717277.tif 000007
【図７】
0005717277.tif 000008
【図８】
0005717277.tif 000009
【図９】
0005717277.tif 000010
【図１０】
0005717277.tif 000011